(57)【特許請求の範囲】
【請求項１】
交流電流側にある出力電流フィルタ（６）であって、スイッチング素子（７）を介して多相エネルギー供給ネットワーク（８）に接続され、直流電流側で少なくとも１つの中間回路キャパシタンス（２１、２２）に対応付けられており、その内部に配置された少なくとも１つの第１および第２のキャパシタンス（６１、６２）を有する出力電流フィルタ（６）を備える多相インバータ（９）を備える光起電力システムの、キャパシタンス（２１、２２、６１、６２）のキャパシタンス値を決定するための方法において、以下のステップ、すなわち、
−  前記スイッチング素子（７）を開くことにより前記エネルギー供給ネットワーク（８）から前記光起電力システムを切断するステップと、
−  前記インバータ（９）を動作させて、アイランドネットワークと、前記インバータ（９）のインバータブリッジ（３）の少なくとも２つの出力に印加される同相のＡＣ電圧と、前記少なくとも１つの中間回路キャパシタンス（２１、２２）と前記出力電流フィルタ（６）との間で生成される電流の通電と、を構成するステップと、
−  前記インバータブリッジ（３）の前記出力で流れる電流（Ｉａ、Ｉｂ、Ｉｃ）および前記光起電力システムの前記中間回路キャパシタンス（２１、２２）のうちの少なくとも１つの両端の電圧を測定し、前記電圧のリップルのレベルおよび前記測定された電流（Ｉａ、Ｉｂ、Ｉｃ）から前記少なくとも１つの中間回路キャパシタンス（２１、２２）の前記キャパシタンス値を決定するステップ、
または
−  前記インバータブリッジ（３）の前記出力で流れる電流（Ｉａ、Ｉｂ、Ｉｃ）および前記出力電流フィルタ（６）の前記少なくとも１つの第１のキャパシタンス（６１）の両端の電圧を測定し、前記決定された電圧および前記測定された電流（Ｉａ、Ｉｂ、Ｉｃ）から前記少なくとも１つの第１のキャパシタンス（６１）の前記キャパシタンス値を決定するステップ、
とを有することを特徴とする方法。
【請求項２】
請求項１に記載の方法において、ＡＣ電圧が、前記インバータ（９）の前記インバータブリッジ（３）のすべての出力に同相で印加されることを特徴とする方法。
【請求項３】
請求項１に記載の方法において、前記出力電流フィルタ（６）の少なくとも１つの第２のキャパシタンス（６２）の両端の前記電圧が決定され、前記少なくとも１つの第２のキャパシタンス（６２）の前記キャパシタンス値が、電圧および電流（Ｉａ、Ｉｂ、Ｉｃ）のうちの少なくとも２つの測定を使用して決定され、前記少なくとも２つの測定が、前記インバータブリッジ（３）の前記出力における前記ＡＣ電圧の位相関係を変えて行われることを特徴とする方法。
【請求項４】
三相インバータ（９）において行われる請求項３に記載の方法において、同相のＡＣ電圧が、前記少なくとも２つの測定のそれぞれにおいて前記インバータブリッジ（３）の２つの出力にそれぞれ印加され、かつ、位相角に関して前記同相のＡＣ電圧とは異なっているＡＣ電圧が、前記インバータブリッジ（３）の第３の出力に印加されることを特徴とする方法。
【請求項５】
請求項４に記載の方法において、前記第３の出力に印加された前記ＡＣ電圧が、前記インバータブリッジ（３）の他の２つの前記出力に印加された前記ＡＣ電圧に対して１８０度の位相角を有することを特徴とする方法。
【請求項６】
請求項４に記載の方法において、３つの測定が行われ、前記測定のそれぞれにおいて、前記位相角に関して異なっているＡＣ電圧が、前記インバータブリッジ（３）の前記出力のうちの異なっている１つに印加されることを特徴とする方法。
【請求項７】
請求項１乃至６の何れか１項に記載の方法において、決定されたキャパシタンス値（Ｃ）が、既定された最小キャパシタンス値（Ｃｍｉｎ）と比較され、前記最小キャパシタンス値（Ｃｍｉｎ）未満のキャパシタンス値（Ｃ）が、報知されることを特徴とする方法。
【請求項８】
請求項１乃至７の何れか１項に記載の方法において、決定されたキャパシタンス値（Ｃ）が保存され、以前に保存されたキャパシタンス値と比較されることを特徴とする方法。
【請求項９】
請求項８に記載の方法において、前記キャパシタンス値の変化率が、前記決定されたキャパシタンス値（Ｃ）および少なくとも１つの保存されたキャパシタンス値から決定され、前記キャパシタンスを供給しているキャパシタの耐用寿命が、前記変化率を使用して推定されることを特徴とする方法。
【請求項１０】
請求項１乃至９の何れか１項に記載の方法において、前記インバータ（９）の始動プロセスの間に繰り返し行われることを特徴とする方法。
【請求項１１】
請求項１０に記載の方法において、前記決定された中間回路キャパシタンス（２１、２２）が変化すると、前記方法が中間回路（２）のキャパシタを加熱する目的で行われることを特徴とする方法。
【請求項１２】
請求項１乃至１１の何れか１項に記載の方法において、前記出力電流フィルタ（６）の少なくとも１つのインダクタンス（６３）のインダクタンス値を決定するために、前記インバータブリッジ（３）の前記出力における前記ＡＣ電圧の様々な周波数について行われることを特徴とする方法。
【請求項１３】
エネルギー供給ネットワーク（８）への接続用の多相インバータ（９）であって、評価部（５１）を有する制御装置（５）を備える多相インバータ（９）において、
前記制御装置（５）が、前記評価部（５１）と共に、請求項１乃至１２の何れか１項に記載の方法を行うように構成されていることを特徴とする多相インバータ（９）。
【発明の詳細な説明】
【技術分野】
【０００１】
本発明は、エネルギー供給システムのキャパシタンスのキャパシタンス値を決定するための方法に関する。このエネルギー供給システムは、例えば、交流電流側に出力電流フィルタを備える多相インバータを備え、スイッチング素子を介して多相エネルギー供給ネットワークに接続され、かつ、直流電流側の少なくとも１つの中間回路キャパシタンスに対応付けられている光起電力システムである。本発明は、このような方法を行うための制御装置を備える多相インバータにもまた関する。
【背景技術】
【０００２】
インバータは、エネルギー生成システム、例えば、以下、略してＰＶシステムと呼ぶ光起電力システムで使用されて、直流電流を、公共または個人のエネルギー供給ネットワークに単相または多相で給電可能な、交流電流に変換する。光起電力システムの場合には、変換される直流電流は、光起電力発生器（ＰＶ発生器）によって供給される。ＰＶ発生器は、本願の範囲内で、好ましくは複数の光起電力モジュール（ＰＶモジュール）からなる、あらゆる構成を備えている。この代わりに、および／または、これに加えて、（可能であればバッファリングされた）直流電流を、バッテリもしくは燃料電池、またはこれらに匹敵する、化学作用により動作する電流源から供給することが可能である。
【０００３】
このようなエネルギー供給システムは、交流電流に変換中にＤＣ発電機により供給されるＤＣ電圧を平滑化するために、（バッファ）キャパシタ構成をＤＣ中間回路に有する。ＤＣ発電機からの電圧がインバータブリッジの入力側に直接印加される単段インバータの場合には、このようなキャパシタ構成が、ＤＣ発電機と並列に接続される。多段インバータの場合には、少なくとも１つのＤＣ−ＤＣコンバータがインバータブリッジの上流に接続され、ＤＣ発電機により供給されるＤＣ電圧を、インバータブリッジを動作させるのに適した電圧レベルに昇圧、または降圧する。このようなシステムの場合には、キャパシタ構成は通常、ＤＣ−ＤＣコンバータと、インバータブリッジとの間に配置される。本願の範囲内では、キャパシタ構成が配置される回路は、キャパシタ構成の位置とは関係なく、従来の用語法に従って以下では概括して中間回路と呼ばれる。したがって、電圧を平滑化するために使用されるキャパシタ構成は、いずれの場合も、中間回路キャパシタ構成と呼ばれる。
【０００４】
インバータのインバータブリッジには、変調方式でクロック制御されて動作するパワー半導体スイッチが通常取り付けられている。既知の従来の変調方式は、クロック周波数で、すなわちキロヘルツ範囲で毎秒複数のスイッチングサイクルで動作するパルス幅変調方式（ＰＷＭ方式）である。その結果、インバータブリッジの出力において極性が変化するクロックＤＣ信号が、可能な限り正弦波の電圧プロファイルがフィルタの出力で生じるように、出力電流フィルタによって平滑化される。この理由により、出力電流フィルタは、正弦波フィルタとも呼ばれることが多い。
【０００５】
この場合、出力電流フィルタは、複数のインダクタンスおよびキャパシタンスを備える。よく使用されている既知の出力電流フィルタは、インバータ各相のそれぞれに対して少なくとも１つのインダクタンス、例えば、インバータブリッジのそれぞれの出力と、エネルギー供給ネットワークの対応する相接続部との間に配置されたコイルを有する。さらに、キャパシタンスは、インバータブリッジの各出力接続部と、フィルタのインバータ側入力にあるシステムの中性線と、の間にそれぞれ配置される。出力側では、すなわち、エネルギー供給ネットワークに向かって、第２のキャパシタンスが各相に対して供給される。この第２のキャパシタンスは、星形接続で接続される。すなわち、第２のキャパシタンスは共通のフローティング電圧ノードと接触している。第１のキャパシタンスおよび第２のキャパシタンスは通常、対応する第１のキャパシタおよび第２のキャパシタにより形成される。
【０００６】
エネルギー生成システムのインバータの機能の正確さおよび信頼性は、上述したキャパシタンス、中間回路キャパシタンス、および出力電流フィルタにおけるキャパシタンスに大きく左右される。しかしながら、キャパシタンスを供給するのに使用されるキャパシタは、時が経つにつれてキャパシタンス値が低減する経年変化を受けやすい。電解キャパシタの場合には、上記に加え、氷点下の温度では、温度によって大きく左右されることが認められる。変化したキャパシタンス値を知ることにより、インバータの正確な動作方法を、インバータのパラメータ、例えば、インバータブリッジのパワー半導体のスイッチングサイクルの切り替え時間を決定する調整パラメータを調節することにより、一定のキャパシタンス損失まで修正することができる。キャパシタンスの偏差が大きすぎる場合には、インバータまたはキャパシタの、さらに広範囲にわたる破壊を回避するために、インバータの動作を終了させることが有用である。インバータの動作パラメータを調節するためだけでなく、インバータを切断するために、またはできるだけ予期し得る問題を事前に表示する警告を出力するためにも、エネルギー生成システムのキャパシタンスのキャパシタンス値、具体的には、中間回路のキャパシタンスおよびフィルタのキャパシタンスのキャパシタンス値を知ることが望まれる。
【０００７】
これに関連して、例えば、独国特許出願公開第１０２００４０３６２１１Ａ１号明細書は、装置の作動中に充電用抵抗器を介して中間回路キャパシタが事前充電される方法を開示している。中間回路キャパシタのキャパシタンスは、事前充電中に、充電電流の測定および中間回路キャパシタで測定された電圧プロファイルから、決定することができる。この方法は、特に、中間回路キャパシタの事前充電が行われ、かつ、装置が対応する事前充電装置を有する場合に適切である。
【０００８】
国際公開第０２／１８９６２Ａ１号パンフレットによれば、同様のやり方で、エンジンコントローラのインバータの中間回路キャパシタが、エンジンコントローラの非作動中に、放電抵抗器によって放電される。中間回路キャパシタのキャパシタンスは、放電中に測定された電圧プロファイルから決定される。
【０００９】
米国特許出願公開第２０１２／０２８１４４３Ａ１号明細書は、複数のキャパシタの直列回路からなる中間回路中の不具合のあるキャパシタを決定するための方法を開示している。この場合、個々のキャパシタの両端で電圧の低下が測定され、電圧のレベルから、不具合のあるキャパシタが推論される。米国特許出願公開第２０１３／０１５５７２９Ａ１号明細書は、電力コンバータの中間回路キャパシタの予想耐用寿命を予測するための方法について記載している。この方法では、キャパシタに流れるＡＣ成分が決定され、動作中にキャパシタに蓄積された電力を決定するのに用いられる。蓄積された電力を用いて、キャパシタの経年状態、したがって、引き続き見込まれ得る耐用寿命を推論する。しかしながら、上述の２つの特許文献に記載された方法を使用して、キャパシタのキャパシタンス値を決定することはできない。
【００１０】
米国特許出願公開第２００９／００７２９８２Ａ１号明細書は、エネルギー変換のためのシステムについて記載しており、このシステムでは、システム内のキャパシタの両端の電圧の時間的な変動が測定され、キャパシタにおける電圧リップルのレベルが決定される。さらに、電圧リップルの発生中に流れる電流が決定される。キャパシタのキャパシタンスは、電圧リップルのレベルおよび通電電流のレベルから決定される。欧州特許出願公開第２６９０４５２Ａ２号明細書もまた、これに匹敵し得る方法について記載している。エネルギー供給システムの通常動作中にキャパシタンスを決定することが望まれる場合には、これらの方法は有利である場合がある。しかしながら、安全上の理由で、エネルギー生成システムがエネルギー供給ネットワークに接続される前に、キャパシタの機能をそれ相応に正確に診断することが望まれる場合が多い。例えば、温度が原因で、中間回路キャパシタのキャパシタンスが極度に低い値にまで下がっている場合には、高電力でエネルギー供給システムを動作させることが問題となる場合がある。この問題は、例えば、極端な気象条件下で据え付けられたＰＶシステムにおける中間回路キャパシタのような、電解キャパシタに関して生じる。そのようなＰＶシステムは一般に、中間回路キャパシタが、この目的のために設けられた加熱装置によって加熱された後に初めて始動される。
【００１１】
したがって、本発明は、エネルギー生成システムにおけるキャパシタンスを決定するための方法を提供することを目的とする。この方法は、エネルギー生成システムが、エネルギー供給ネットワークに結合されて給電モードになる前に、装置の費用を可能な限り追加せずに行うことができる。また、本発明の別の目的は、このような方法を行うのに適したインバータを提供することである。
【００１２】
この目的は、それぞれの独立請求項の特徴を有する方法およびインバータによって実現される。有利な構成、および展開形態は、従属請求項に明記されている。
【００１３】
本発明による、冒頭で述べたタイプの方法は、以下のステップを含む。光起電力システムが、スイッチング素子を開くことによりエネルギー供給ネットワークから切断される。インバータを動作させて、アイランドネットワークと、インバータのインバータブリッジの少なくとも２つの出力に印加されている同相のＡＣ電圧と、少なくとも１つの中間回路キャパシタンスと出力電流フィルタとの間で生成される電流の通電と、を構成する。インバータブリッジの出力で流れる電流、およびキャパシタンスに存在する少なくとも１つの電圧が測定される。次に、決定された電圧および測定された電流を使用して、キャパシタンスのキャパシタンス値が決定される。
【００１４】
インバータブリッジによって出力電流フィルタにＡＣ電圧が印加されるアイランドネットワークが構成されることにより、万一エネルギー供給ネットワークから切断された場合には、少なくとも１つの中間回路キャパシタンスと、出力電流フィルタとの間に電流の通電もまた発生する。次に、ＰＶシステムのキャパシタンスのキャパシタンス値は、電流および電圧の測定を用いて決定することができる。少なくとも２つの相が同相で動作するという事実により、電流の通電量が増大し、その結果生じた中間回路キャパシタンスからのパルス性電力消費のために、決定された電圧のリップルは、すべての相が互いに対して位相シフトされている通常動作中の場合よりも大きくなっている。したがって、測定精度の向上が実現される。
【００１５】
本方法の１つの有利な構成では、ＰＶシステムの中間回路キャパシタンスのうちの少なくとも１つの両端の電圧が測定される。少なくとも１つの中間回路キャパシタンスのキャパシタンス値は、電圧のリップルのレベルおよび測定された電流から決定される。この構成では、インバータがエネルギー供給ネットワークに接続される前に、本発明による方法を使用して、中間回路キャパシタのキャパシタンス値を決定することが可能である。
【００１６】
中間回路を行き来する電流の通電が時間的に変動する場合には、少なくとも１つの中間回路キャパシタンスの両端の電圧のレベルが、電流の周波数に対応付けられた周波数であって、−インバータブリッジの出力における位相関係に応じて−アイランドネットワーク内の電流の周波数の２倍または３倍である周波数で変動する。少なくとも１つの中間回路キャパシタンスの両端の電圧の変動は、本願の範囲内で電圧リップルとも呼ばれる。
【００１７】
本方法の別の有利な構成では、出力電流フィルタの少なくとも１つの第１のキャパシタンスの両端の電圧が決定され、少なくとも１つの第１のキャパシタンスのキャパシタンス値が、決定された電圧および測定された電流から決定される。したがって、インバータがエネルギー供給ネットワークに接続される前に、出力電流フィルタのキャパシタのキャパシタンス値を決定することもまた可能である。この構成では、本方法は、特に、インバータブリッジの出力と共通の中性線との間に配置されるキャパシタの、キャパシタンス値を決定するのに適している。
【００１８】
インバータのインバータブリッジのすべての出力に同相でＡＣ電圧が印加される場合には、上記の方法において特に高電流が実現される。これにより、キャパシタンス値を決定する際に、可能な限り最良の精度が得られる。
【００１９】
本方法の別の有利な構成では、出力電流フィルタの少なくとも１つの第２のキャパシタンスの両端の電圧が決定され、この少なくとも１つの第２のキャパシタンスのキャパシタンス値は、電圧および電流の少なくとも２つの測定を使用して決定され、この少なくとも２つの測定は、インバータブリッジの出力におけるＡＣ電圧の位相関係を変えて行われる。この構成では、本方法は、インバータブリッジの別々の出力間の出力電流フィルタ内部に配置されているキャパシタのキャパシタンス値を決定するのにもまた適している。この場合、２つの測定が、インバータブリッジの出力における位相関係を変えて行われ、これにより、第２のキャパシタンスを通って流れる電流は、キャパシタンスを介して共通の中性線に流れる電流から計算上分離することができる。
【００２０】
三相インバータの場合には、少なくとも２つの測定のそれぞれにおいて、同相のＡＣ電圧が、インバータブリッジの２つの出力にそれぞれ印加され、位相角に関してこれらの同相のＡＣ電圧とは異なっているＡＣ電圧が、インバータブリッジの第３の出力に印加されることが好ましい。この第３の出力に印加されたＡＣ電圧は、インバータブリッジの他の２つの出力に印加されたＡＣ電圧に対して１８０度の位相角を有することが特に好ましい。したがって、電流の最大通電量がここでも実現され、これにより、キャパシタンス値を決定する際の精度が向上する。さらに、３つの測定が行われて、これらの測定のそれぞれにおいて、位相角に関して異なっているＡＣ電圧が、インバータブリッジの出力のうちの異なっている１つに印加されることが好ましい。これにより、様々な測定に基づいてそれぞれのキャパシタンス値を決定することが可能になる。測定結果には、一定の冗長性があり、その結果個々のキャパシタンス値が重複決定される。この重複決定された性質により、測定結果の質、したがって測定結果の有意性を推定することが可能になる。
【００２１】
本方法の別の有利な構成では、決定されたキャパシタンス値が、既定された最小キャパシタンス値と比較され、最小キャパシタンス値未満のキャパシタンス値が、報知される。さらに、決定されたキャパシタンス値が保存され、以前に保存されたキャパシタンス値と比較されると、有利である。キャパシタンス値の変化率が、決定されたキャパシタンス値、および少なくとも１つの保存されたキャパシタンス値から決定され、キャパシタンスを供給しているキャパシタの耐用寿命が、この変化率を使用して推定されることが好ましい。本方法のこれらの構成では、キャパシタンスの決定を使用して、即時の問題、または今にも起こり得る問題をシステムオペレータに警告すると有利である。したがって、即時に対策を講じたり、予防措置としての対策を講じたりすることができる。
【００２２】
別の有利な構成では、本方法は、インバータの始動プロセスの間に繰り返し行われる。したがって、本方法の実行中に（または、そうでなければ本方法の実行によって）解決される、単に一時的である可能性が高い問題を識別することができ、始動プロセスを継続することができる可能性が高い。この場合、本方法の実行中に、決定された中間回路キャパシタンスが変化すると、中間回路のキャパシタを加熱する目的で、本方法が行われるようにしてもよい。したがって、本方法において生じた電流の通電を使用して、キャパシタを加熱することが可能であり、これにより、比較的小さい電流が流れることによる温度に関連したキャパシタンスの低下を、徐々になくすことが可能になる。
【００２３】
別の有利な構成では、本方法は、インバータブリッジの出力におけるＡＣ電圧の様々な周波数について行われる。周波数に応じてそのときに利用可能な測定された値を使用して、出力電流フィルタの少なくとも１つのインダクタンスのインダクタンス値を決定することができる。したがって、典型的な出力電流フィルタのすべての構成要素のサイズを決定することができる。
【００２４】
本発明による、エネルギー供給ネットワークへの接続用の多相インバータは、評価部を有する制御装置を備える。この制御装置は、評価部と共に、上記の方法のうちの１つを行うように構成されているという事実を特徴とする。その結果、本発明による方法に関連して説明した利点が得られる。
【００２５】
以下では、図を用いて、例示的な実施形態によって本発明をさらに詳しく説明する。
【図面の簡単な説明】
【００２６】
【図１】図１は、ＰＶシステムの概略ブロック図を示す。
【図２ａ】図２ａは、図１のＰＶシステムの一部の詳細図を示す。
【図２ｂ】図２ｂは、図２ａを、１つの相に限定して単純化した図を示す。
【図３】図３は、本発明による方法のフローチャートを示す。
【図４】図４は、キャパシタの耐用寿命における典型的なキャパシタンスの低減を図示するグラフを示す。
【図５ａ】図５ａは、中間回路キャパシタンスを決定するための方法ステップを含むフローチャートを示す。
【図５ｂ】図５ｂは、出力電流フィルタの第１のキャパシタンスまたは第２のキャパシタンスを決定するための方法ステップを含むフローチャートを示す。
【図５ｃ】図５ｃは、出力電流フィルタの第１のキャパシタンスまたは第２のキャパシタンスを決定するための方法ステップを含むフローチャートを示す。
【図６ａ】図６ａは、図４による方法を行う間のＰＶシステムの一部の概略的な等価回路図を示す。
【図６ｂ】図６ｂは、図４による方法を行う間のＰＶシステムの一部の概略的な等価回路図を示す。
【図６ｃ】図６ｃは、図４による方法を行う間のＰＶシステムの一部の概略的な等価回路図を示す。
【図６ｄ】図６ｄは、図４による方法を行う間のＰＶシステムの一部の概略的な等価回路図を示す。
【図７ａ】図７ａは、図４ａに従って連続的に行われる方法の間の中間回路キャパシタのキャパシタンスの時間依存性の変化のグラフを示す。
【図７ｂ】図７ｂは、図４ａに従って連続的に行われる方法の間の中間回路キャパシタのキャパシタンスの時間依存性の変化のグラフを示す。
【発明を実施するための形態】
【００２７】
図１は、ＰＶシステムの全体構造を概略したブロック図を示す。ＰＶシステムは、ＰＶ発生器１を備える。ＰＶ発生器１は、図１では１個のＰＶセルの回路図によって象徴的に表されている。ＰＶ発生器１は、既知のやり方で１つ以上のＰＶモジュールを備えることがある。複数のＰＶモジュールが使用される場合、それらは直列に接続されて、いわゆるストリングを形成することが多い。これらの複数のストリングは、ＰＶ発生器１を形成するために、並列に接続することができる。
【００２８】
ＰＶ発生器１は、ＤＣラインを介して、中間回路２に接続され、ここで図示した例示的な実施形態では、中間回路２は、直列に接続された２つの中間回路キャパシタンス２１、２２を備える。２つの中間回路キャパシタンス２１と２２との間のセンタータップは、ＰＶシステムの直流電流側に基準電位を供給する仮想ゼロ点ＮＰを形成する。
【００２９】
ＰＶ発生器１は、中間回路２を介して、直流電流側のインバータブリッジ３の入力に接続されている。インバータブリッジ３は、ＰＶ発生器１によって生成された直流電流を、インバータブリッジ３の出力で出力される交流電流に変換するのに使用される。インバータブリッジ３のＡＣ出力は、出力電流フィルタ６および、インバータブリッジ３と出力電流フィルタ６との間の接続部に配置された電流測定センサ４に接続されている。
【００３０】
インバータブリッジ３は多相設計であり、ここでは一例として、三相設計である。３つの異なる相を区別するために、以下では参照符号または名称と共に「ａ」、「ｂ」および「ｃ」という表記が用いられている。個々の相ａ、ｂ、ｃに割り当てられている構成要素は、各参照符号に付記された「ａ」または「ｂ」または「ｃ」によって示される。そのような表記をせずに参照符号が使用される場合は、表記の有無に関係なくすべての構成要素にこの参照符号が付いているか、または、これらの構成要素のうちの１つの構成要素であるが、以降はこの参照符号を付して特定しないか、のいずれかである。「電流測定センサ４」と言うときには、したがって、前後関係によって、電流測定センサ４ａ、４ｂおよび４ｃを全部一緒に指すか、または、電流測定センサ４ａ、４ｂまたは４ｃのうちの１つであるが、以降は特定されない電流測定センサを指すか、のいずれかである。
【００３１】
電流測定センサ４は、インバータブリッジ３のそれぞれの出力で流れる電流Ｉａ、Ｉｂ、およびＩｃを決定するのに使用される。電流測定センサ４からの出力は、電流測定センサ４からの出力を測定し、評価するための評価部５１を備える制御装置５に供給される。制御装置５は、インバータブリッジ３もまた制御し、本明細書では具体的には、インバータブリッジ３の半導体スイッチを制御するが、本図では、これ以上詳細に図示しない。
【００３２】
出力電流フィルタ６は、インバータブリッジ３からの出力信号の信号整形に使用される。出力電流フィルタがなければ、インバータブリッジ３からの出力信号は実質的に、異電位間で変化するパルス性ＤＣ電圧信号である。出力電流フィルタ６は、このパルス化されたＤＣ電圧信号を用いて出力電流を形成する。出力電流は、ほぼＡＣ電圧の形態であり、ＡＣ電圧（ＡＣ−交流電流）スイッチング素子７を介してエネルギー供給ネットワーク８に給電可能である。インバータブリッジ３と同様に、エネルギー供給ネットワーク８もまた、相導体Ｌａ、Ｌｂ、およびＬｃを有する三相設計である。中性線Ｎもまた、ＡＣスイッチング素子７、および出力電流フィルタ６を介して、ＰＶシステム１の直流電流側の仮想ゼロ点ＮＰに同様に接続されている。出力電流フィルタ６は通常、複数のキャパシタンスおよびインダクタンスからなる構成を備える。出力電流フィルタ６の典型的な構成を、後段において図２および図３に関してさらに詳細に説明する。
【００３３】
図示された例示的な実施形態では、インバータブリッジ３、電流測定センサ４、制御装置５、および出力電流フィルタ６は、インバータ９に組み込まれている。代替的な構成では、中間回路２は、追加的に付随する形で例えば、インバータ９に組み込まれてもよい。またはそうでなければ、出力電流フィルタ６を別個のハウジングの中に配置してもよい。
【００３４】
本願の範囲内で必須のＰＶシステムの素子だけが、図１に図示されていることに留意されたい。例えば、さらなるスイッチング素子（例えば、切断素子、接触器）、保護装置（例えばヒューズ）、図示されていない監視装置および／または変圧器が、直流電流側および／または交流電流側に設けられてもよい。
【００３５】
図２ａは、図１の部分をさらに詳細に示す。図２ａは、ＰＶ発生器１、制御装置５、ＡＣスイッチング素子７、およびエネルギー供給ネットワーク８を図示していない。
【００３６】
図２ａは、３つの相ａ、ｂ、ｃに対するインバータブリッジ３の構造を示す。３つの相のそれぞれに対して、インバータブリッジ３は、ブリッジアームを有する。ブリッジアームは、ここに図示した例では、２つの半導体スイッチ３１、３２を備える。絶縁ゲート型バイポーラトランジスタ（ＩＧＢＴ：ｉｎｓｕｌａｔｅｄ−ｇａｔｅ  ｂｉｐｏｌａｒ  ｔｒａｎｓｉｓｔｏｒ）スイッチは、一例として半導体スイッチとして図示されている。言うまでもなく、インバータブリッジ３は、他の半導体パワースイッチを使用して、例えば、金属酸化膜電界効果トランジスタ（ＭＯＳＦＥＴ：ｍｅｔａｌ  ｏｘｉｄｅ  ｓｅｍｉｃｏｎｄｕｃｔｏｒ  ｆｉｅｌｄ−ｅｆｆｅｃｔ  ｔｒａｎｓｉｓｔｏｒ）を使用して、同様に組み立てられてもよい。半導体スイッチ３１、３２は、フリーホイールダイオードに対応付けられている。フリーホイールダイオードについては、これ以上詳しく言及しないが、外付の構成要素であってもよいし、あるいは半導体スイッチ３１、３２に組み込まれていてもよい。半導体スイッチ３１、３２の上流に接続されて、半導体スイッチ３１、３２を制御するために使用される構成要素は、わかりやすくするために図２ａには図示されていない。半導体スイッチ３１、３２に対するスイッチング信号は、既知の変調方式に従って、具体的にはパルス幅変調方式（ＰＷＭ：ｐｕｌｓｅ−ｗｉｄｔｈ  ｍｏｄｕｌａｔｉｏｎ  ｍｅｔｈｏｄ）に従って最終的に制御装置５によって生成され、対応する制御回路を介して、半導体スイッチ３１、３２に伝送される。
【００３７】
図２ａは、インバータブリッジ３のツーポイント型トポロジーを図示する。ツーポイント型トポロジーでは、半導体スイッチ３１と３２との間にある、直列に接続されているセンタータップによって形成された、インバータブリッジ３のそれぞれのＡＣ出力を、ＰＶ発生器１の正極またはＰＶ発生器１の負極のいずれかに接続することができる。言うまでもなく、他のトポロジー、具体的には、スリーポイント型トポロジーを使用することができる。スリーポイント型トポロジーでは、インバータブリッジ３の出力接続部を、仮想ゼロ点ＮＰで、すなわち中間回路キャパシタンス２１と２２との間のセンタータップで、双方向に動作するさらなる半導体スイッチを介して、追加で基準電位に接続することが可能である。
【００３８】
出力電流フィルタ６は、２つのキャパシタンス６１、６２、および相ａ、ｂ、ｃのそれぞれに対するインダクタンス６３を有する。キャパシタンス６１、６２は通常、キャパシタによって、典型的にはフィルムキャパシタによって形成される。この場合、第１のキャパシタンス６１は、出力電流フィルタ６の入力を構成するインバータブリッジ３の出力接続部と、相ａ、ｂ、ｃのそれぞれに対する中性線Ｎと、の間に配置される。インダクタンス６３は、出力電流フィルタ６の入力接続部と出力接続部との間にそれぞれ配置されている。出力電流フィルタ６の出力接続部はそれぞれ、第２のキャパシタンス６２に接続されている。第２のキャパシタンス６２のそれぞれの他の接続部は、共通の仮想中性点６４に接続されている。次に出力電流フィルタ６の出力は、図１に示された方法で、ＡＣスイッチング素子７を介してエネルギー供給ネットワーク８に接続されている。
【００３９】
さらなる検討をわかりやすくするために、図２ｂは、相のうちの１つに限定して、ここでは一例として、相ａに限定して図２ａを表す。出力電流フィルタ６は、３つの相ａ、ｂ、ｃが同相で動作する動作状態にあてはまる等価回路図に図示されている。相ａ、ｂ、ｃがすべて同相の性質であるために、電流がキャパシタンス６２を通って流れることはない。インバータ９は、開いたＡＣスイッチング素子７によってエネルギー供給ネットワーク８から切断されているので、すなわち、アイランドネットワーク状況になっているので、電流がインダクタンス６３を通って流れることもない。出力電流フィルタ６の等価回路図では、これらの構成要素は、したがって、インバータ９の前記動作状態に関しては無視することができる。
【００４０】
本発明による、ＰＶシステムのキャパシタンスのキャパシタンス値を決定するための方法を、以下に記載された図３〜図５を使用して説明する。本方法は、例えば、図１および図２に図示されたＰＶシステムにおいて、具体的には、ＰＶシステムで使用されるインバータを用いて行うことができる。したがって、前記各図に関連する一例として、また、前記各図において使用されている参照符号を使用して、本方法を説明する。
【００４１】
図３は、本願による方法の基本的なシーケンスのフローチャートを示す。
【００４２】
第１のステップＳ１では、ＰＶシステムのインバータ９は、例えば、インバータを動作させて、エネルギー供給ネットワーク８に給電するのに十分な電力をＰＶ発生器１が供給しなかった期間の後に、すなわち、例えば、夜が過ぎてから始動する。インバータ９の始動プロセスの間、インバータブリッジ３の出力は、開いたＡＣスイッチング素子７によって、エネルギー供給ネットワーク８から切断されている。この目的に十分な電力がＰＶ発生器１によって供給されると直ちに、インバータ９が始動する。
【００４３】
第２のステップＳ２では、スイッチング素子７が開いたインバータによって、いわゆるアイランドネットワークが構成される。インバータの給電モードでは、三相ネットワークの個々の相ａ、ｂ、ｃの間でそれぞれ１２０度の位相シフトが優勢になっている。システム全体の位相角は、エネルギー供給ネットワークで優勢な位相角に適合されている。ステップＳ２では、それとは異なっている相ａ、ｂ、ｃの間の位相関係が、互いに同相（０度の位相シフト）である相のうちの少なくとも２つによってアイランドネットワークに構成される。３つの相はすべて、互いに対して０度の位相シフトで、同相で動作するのが好ましい。以下では、３つの相ａ、ｂ、ｃがすべて、同相で動作するような状況を想定している。
【００４４】
次のステップＳ３では、アイランドネットワークの動作中にインバータブリッジ３の出力で流れる電流Ｉａ、Ｉｂ、およびＩｃは、電流測定センサ４ａ、４ｂ、および４ｃによって測定され、評価部５１で評価される。
【００４５】
ＰＶシステムのキャパシタンスのキャパシタンス値を決定するための方法の当初には省略可能なステップであったが、不具合のある電流センサ４を識別するために、ステップＳ３で得られた電流測定値を使用して妥当性検査が、ステップＳ４で行われる。例えば、電流測定値Ｉａ、Ｉｂ、Ｉｃが大きく異なっていれば、決定されるキャパシタンスの差ではなく、電流センサに不具合があることを示している。電流値が常に０であることもまた、電流センサに不具合があることを示している。電流値Ｉａ、Ｉｂ、Ｉｃが、電流センサに不具合があることを示しているかどうかを決定する際に、ロギング目的で保存された過去の比較可能な測定から得られた電流値を使用することもまた可能である。
【００４６】
ステップＳ４で、電流センサに不具合があると識別される場合には、本方法は、ステップＳ５に枝分かれする。ステップＳ５では、不具合のある電流センサ４の存在は、例えば、信号および／またはデータラインを介して相応するメッセージを上位監視装置に伝送することによって報知される。そこで、本方法は終了し、インバータの動作が停止される。
【００４７】
ステップＳ４において、電流値Ｉａ、Ｉｂ、Ｉｃが少なくとも妥当であると思われる範囲にある場合には、本方法は、ステップＳ６に継続される。ステップＳ６では、キャパシタンス値が実際に決定される。インダクタンスおよびキャパシタンスを有する出力電流フィルタ（ＬＣフィルタ）の場合には、部品公差および他の公差を考慮して、出力電流フィルタのインピーダンス、測定された電流、および出力電流フィルタの両端で測定された電圧または既定された電圧に基づいて、対応する電流値に対する妥当性の限界値を決定することができる。
【００４８】
ステップＳ６の詳細を、図５ａ、図５ｂおよび図５ｃのさらなるフローチャートで、さらに詳細に説明する。
【００４９】
ステップＳ６で得られたキャパシタンスの決定結果は、後続のステップＳ７において評価される。この場合、保存された限界値を使用して、キャパシタンスが既定された許容範囲にあるかどうかを考慮する。この場合、一方ではキャパシタンスの絶対値を、具体的には、キャパシタンスの公称値に対する限界値を考慮することが可能であり、他方ではキャパシタンスの変化率を考慮することもまた可能である。ステップＳ４での電流センサの検査に関連して上述した方法と同様の方法で、決定されたキャパシタンスもまたログメモリにログインされることが好ましい。その結果、それまでの測定で決定されたキャパシタンス値を使用して、目下測定されているキャパシタンス値を査定することが同様に可能となる。本明細書に記載された、ＰＶシステム内部のキャパシタンス値を決定するための方法は、定期的に、例えば、毎朝の始動プロセスの間に、したがって少なくとも一日に一度は行われることが好ましい。その結果、キャパシタンス値を連続的に観察することが可能になる。
【００５０】
キャパシタンス値が適切な許容範囲にない場合には、本方法は、ステップＳ８に枝分かれする。ステップＳ８では、そのキャパシタンスが依拠する対応するキャパシタンス、またはキャパシタに不具合があるとして、ここでもまた、例えば、信号および／またはデータラインを介して上位監視装置への相応のメッセージによって報知される。ステップＳ５と同様に、そこでインバータ９の動作が終了される。
【００５１】
ステップＳ７において、キャパシタンスが許容範囲内にあると識別された場合には、本方法は、ステップＳ９に継続される。ステップＳ９では、決定されたキャパシタンス値がさらに処理される。一方では、このステップＳ９において、キャパシタンス値が、制御装置５の内部か、または上位監視装置の内部のいずれかにログされる。他方では、決定されたキャパシタンス値を使用して、インバータ９に対する制御パラメータおよび／または調整パラメータを最適化することが可能であり、したがって、給電電流を最適に調節して、調整が不安定になるのを防ぐことが可能である。
【００５２】
キャパシタンス値の瞬時変化率は、キャパシタンス値の連続的観測から、例えば、キャパシタンス値の日々の変化率または絶対的な変化から決定することができる。キャパシタンス値の激しい変化は、対応するキャパシタの故障が迫っていることを示している。図４は、キャパシタのキャパシタンスＣの典型的な時間曲線７１を表す。進行する時間ｔにともなう、公称キャパシタンスＣｎｅｎｎからのキャパシタンスＣの低下が図示されている。キャパシタは一般に、変化率が急増する前には、最初は長期間にわたって非常にゆっくりと低い変化率でそのキャパシタンスを失うが、ここでは一例として、ｔ＝ｔ＊において破線として描かれている、ある特定の時間以降は、キャパシタンスが急速に低下している。
【００５３】
キャパシタンス値の変化率に基づいて、キャパシタのうちの１つに故障が迫っている場合には、相当するキャパシタの予防保守、または交換を求める相応のサービスメッセージを、やはり省略可能なステップＳ１０において出力することができる。
【００５４】
最後に、インバータ９の始動プロセスは、ステップＳ１１において継続することが可能であり、インバータ９は、ステップＳ９において最適化された給電モードに対するパラメータを用いてエネルギー供給ネットワーク８に接続することができる。
【００５５】
図５は、図３の方法ステップＳ６の間の、キャパシタンス値の決定の詳細を、図５ａ〜図５ｃの３つのフローチャート部分に分けて示している。図５ａのフローチャートは、中間回路キャパシタ２１、２２のキャパシタンスを決定するための方法ステップを説明している。図５ｂのフローチャートは、出力電流フィルタ６の第１のキャパシタンス６１のキャパシタンス値を決定するための方法ステップを説明している。図５ｃに図示された方法は、出力電流フィルタ６の第２のキャパシタンス６２のキャパシタンス値を決定するための方法ステップを表している。
【００５６】
図５ａおよび図５ｂに図示された方法は、互いに独立して行うことができる。図５ｃに示された方法は、図５ｂの方法が先に実行されていることを前提条件とする。図３による方法の１つの好ましい構成では、ＰＶシステムのすべての関係するキャパシタンスに関する情報を、すなわち、中間回路キャパシタンス２１、３１と、出力電流フィルタ６の第１のキャパシタンス６１および第２のキャパシタンス６２と、に関する情報を有利に取得するために、図５ａ〜図５ｃのすべてに一部ずつに分けて示されている方法ステップは、ステップＳ６の中で連続して行われる。
【００５７】
図５ａの第１のステップＳ６０１では、ステップＳ３からの電流測定が再び行われるか、または、ステップＳ３で測定された電流値が、さらなる評価のために採用されるか、のいずれかである。ステップＳ６０１における電流測定は、したがって、インバータの動作状態における電流測定Ｓ３と同じ方法で行われ、インバータブリッジ３によるアイランドネットワークの動作中に、互いに対する位相シフトのない同相の３つの相ａ、ｂ、ｃのすべてに電圧が印加される。相ａ、ｂ、ｃがすべて同相であるために、ＡＣスイッチング素子７が開くと、電流は、インダクタンス６３にもキャパシタンス６２にも流れない。図２ｂの出力電流フィルタ６の等価回路図に示されるように、これらの構成要素は、したがってインバータ９のこの動作状態では無視することができる。電気的観点から言えば、この動作状態ではキャパシタンス６１だけは関係があるので、考慮しなければならない。
【００５８】
３つの相の３つの第１のキャパシタンス６１ａ、６１ｂ、６１ｃは、したがって、上述のように並列に接続され、それらの電荷は、電流Ｉａ、Ｉｂ、Ｉｃの出力電流周波数で、すなわち通常は５０Ｈｚか６０Ｈｚで反転する。したがって、半導体スイッチ３１、３２を切り換えることによって、第１のキャパシタンス６１と、中間回路キャパシタンス２１、２２と、の間を電荷が永続的に両方向に転送される。なおその場合、電荷を伝送する電流の大きさは、ステップＳ６０１またはＳ３において測定される。電荷が伝送された結果、中間回路キャパシタンス２１、２２が、永続的に充放電されるようになり、それは、これらのキャパシタンス２１、２２に印加された電圧の変動で示される。中間回路キャパシタンス２１、２２の両端の電圧の変動は、電圧リップルとも呼ばれる。もし相ａ、ｂ、ｃを同相で動作させないのであれば、電圧リップルを観察することもまた可能である。例えば、３つの相すべてを互いに対して１２０°の位相シフトでそれぞれ動作させるのであれば、電圧リップルの強度は大幅に小さくなるであろうが、これにより、測定が難しくなる。中間回路の電圧が１００ボルト前後であり得るのに対して、このアイランドネットワーク状況で生じる電荷反転電流での電圧リップルは、最大でも数ボルト、さもなければ１ボルト未満の範囲にあるので、このことが特に当てはまる。相ａ、ｂ、ｃを同相で動作させることにより、電圧リップルが可能な限り最大になるため、これらの電荷反転電流に対して観察可能なり、したがって、測定精度に関して有利になる。
【００５９】
中間回路キャパシタンス２１、２２のキャパシタンス値は、実質的に使用される中間回路キャパシタによって決まるが、測定された電流Ｉａ、Ｉｂ、Ｉｃと共に、測定された電圧リップルのレベルから決定することができる。
【００６０】
この場合、中間回路キャパシタンス２１および２２の、キャパシタンス値Ｃ２１およびＣ２２、ならびに中間回路キャパシタンス２１および２２におけるそれぞれの電圧リップルの測定された振幅
0006480928.tif 000002
と、測定された電流Ｉａ、Ｉｂ、およびＩｃの合計である振幅
0006480928.tif 000003
と、の間の次の関係を、基準として使用することができる。すなわち、
0006480928.tif 000004
であり、したがって、
0006480928.tif 000005
である。ここで、ωは、交流電流Ｉａ、Ｉｂ、Ｉｃの角周波数を示す。したがって、中間回路キャパシタンスが１つだけである中間回路では、この関係のうちの１つだけを考慮する必要がある。
【００６１】
図５ｂに図示された、出力電流フィルタ６の第１のキャパシタンス６１のキャパシタンス値を決定するための方法を、図５ａに示される方法の後に行うことができる。しかしながら、図５ａに図示された方法を事前に行わずに、図５ｂに図示された方法を行うこともまた可能である。
【００６２】
第１のステップＳ６０４では、インバータブリッジの同相出力で流れる電流Ｉａ、Ｉｂ、Ｉｃが、再び測定される。図５ａに示される方法が事前に行われるのであれば、ステップＳ６０１により測定された値を採用することができる。さらに、ステップＳ３により測定された値をここで使用することもまた可能である。
【００６３】
次のステップＳ６０５では、第１のキャパシタンス６１が充電されるべき電圧のレベルが決定される。この電圧は、測定してもよいし、または、規格値から収集してもよい。なぜなら、アイランド状況で動作中、インバータは通常、中間回路キャパシタンス２１、２２に印加された電圧を適切に変調する半導体スイッチ３１、３２によってインバータブリッジ３の出力の出力ＡＣ電圧のレベルを、この既定された電圧値に調節するからである。次に続くステップＳ６０６では、電流Ｉａ、Ｉｂ、Ｉｃと、キャパシタンス６１、６２に印加された電圧と、の対応する値のペアを使用して、第１のキャパシタンス６１のキャパシタンス値が決定される。
【００６４】
図３のフローチャートでは、ステップＳ６でのキャパシタンス値の決定の後に、ステップＳ７でのキャパシタンスの検査が続いている。言うまでもなく、決定されたキャパシタンス値が許容範囲にあるかどうかに関する問合わせを、図５ａおよび図５ｂにそれぞれ一部が示されている方法の後に既に行っておくことができる。
【００６５】
図６ａは、ＰＶシステムにおけるインバータの動作状況をやはり図示しており、図５ａおよび図５ｂの方法は、違った風にこの動作状況に依拠している。この概略図では、インバータは、電圧源１０の等価回路図によって表されている。相ａ、ｂ、ｃの同相の性質は、電圧源１０が１つだけ存在する状態で表現されており、この電圧源１０に、すべての相が並列に接続されている。
【００６６】
出力電流フィルタ６の第１のキャパシタンス６１のキャパシタンス値が決定された後に、出力電流フィルタ６の第２のキャパシタンス６２を決定するために、図５ｃに図示された方法が行われる。
【００６７】
この方法の第１のステップＳ６０７では、相ａ、ｂ、ｃの間の位相関係が変更されるように、インバータブリッジ３０の半導体３１、３２の制御が修正される。この場合、アイランドネットワークが依然として保持されている。具体的には、最初にステップＳ６０７が行われると、相ａ、ｂ、ｃのうちの２つについて同相の性質が保持されるが、一方これらの相のうちの第３の相は対照的に、電圧に対して１８０度の位相シフトで動作する。
【００６８】
この状況は、図６ａの等価回路図と同様の方法で、図６ｂの等価回路図に図示されている。一例として、ここでは相ｂおよびｃが、電圧源１０に接続されていることによって、同相で動作している。対照的に、逆極性で動作している電圧源１０’は、相ａに１８０度の電圧の位相シフトを与える。この動作状態が確立された後に、電流Ｉａ、Ｉｂ、Ｉｃが、後続のステップＳ６０８において再び測定される。
【００６９】
ステップＳ６０９では、本方法は、枝分かれしてステップＳ６０７に戻る。ステップＳ６０７では、相ａ、ｂ、ｃの、互いに対する位相関係が、これらの相のうち、異なっている１つの相が、これから同じ方向の２つの相に対して逆に動作するように、ここで変更される。この状況は、図６ｃの等価回路図に表されており、そこでは相ａおよびｃが一緒に、すなわち、第１の電圧源１０から同相で動作し、相ｂは、電圧源１０’から１８０度の位相シフトで動作する。電流Ｉａ、Ｉｂ、Ｉｃを測定して、保存するステップＳ６０８が、再度通しで実行される。ステップＳ６０９が再度通しで実行されるたびに、位相関係の、あり得る順列がすべて、ここで検査されたかどうかが問い合わせされる。そうでない場合には、現在の最後の順列を構成するために、本方法は、枝分かれして再びステップＳ６０７に戻る。なお、現在の最後の順列は、図６ｄの等価回路図に表されている。この組み合わせでは、相ａおよびｂが、電圧源１０から同相で動作し、相ｃが、電圧源１０’から逆に動作する。電流Ｉａ、Ｉｂ、Ｉｃが、ステップＳ６０８において再度測定され、本方法は、次にステップＳ６１０に継続される。
【００７０】
各場合において、相のうちの１つが他の２つの相に対して位相シフトしていることにより、図５ａおよび図５ｂでなされた、電流が２つのキャパシタンス６２を通って流れないという仮定は、もはや、図６ｂ〜図６ｄに図示された動作状況に当てはまらない。もっと正確に言えば、ここでは、様々な組み合わせで第１のキャパシタンス６１と第２のキャパシタンス６２との間で電荷が反転する結果として、変位電流が確立される。確立された電流は、キャパシタンス値に関連付けることができる。その結果、連立方程式が得られ、この連立方程式は、個々の動作状況における第１のキャパシタンス６１および電流Ｉａ、Ｉｂ、Ｉｃがいずれもわかっている場合には、キャパシタンス６２のキャパシタンス値に従って解くことができる。ステップＳ６１０で連立方程式を解いた結果として、次に、第２のキャパシタンス６２が決定される。
【００７１】
ステップＳ６０７およびＳ６０８で図示された方法で、あり得る３つの順列がすべて構成され、かつ、測定されるのであれば、連立方程式は、３つの第２のキャパシタンス６２について重複決定される。この重複決定された性質により、測定結果の質、したがって測定結果の有意性を推定することが可能になる。原則として、３つのキャパシタンス６２のキャパシタンス値を決定できるようにするには、ステップＳ６０７およびＳ６０８で２つの順列を測定すれば十分であろう。
【００７２】
ステップＳ６１０での評価の間、インダクタンス６３は無視される。なぜなら、ネットワーク周波数で測定を行う際には、インダクタンスは通常、測定された値に影響がないように、または影響が無視できるほどであるように、大きさが決められているからである。しかしながら、原則として、図３のステップＳ６で行われた測定を、インダクタンス６３の影響をもはや無視することができない高い周波数で、追加で行うことが可能である。高い周波数での測定結果を、ネットワーク周波数での測定結果と比較すると、次に、インダクタンス６３の大きさを決定することがさらに可能になる。出力電流フィルタ６に、例えば、インバータブリッジの出力と第１のインダクタンス６１の接続部との間に、さらなるインダクタンスを設けてもよいことにも留意されたい。これらのインダクタンスもまた、最初は微々たるものだが、図５ｂに図示された、第１のキャパシタンス６１のキャパシタンス値を決定するための方法を様々な周波数で行えば、決定することができる。
【００７３】
本方法の代替的な構成では、特に、決定されたキャパシタンス値が、予期された範囲を外れている場合には、図３によるステップＳ６における測定が繰り返し行われるようにしてもよい。これは、図５ａによる中間回路キャパシタンス２１、２２のキャパシタンス値を決定するのに有利である。電解キャパシタは、比較的コスト効率が良く、その体積および重量に基づいた大容量のキャパシタンスを供給するので、中間回路キャパシタンス２１、２２を供給するのに使用される場合が多い。氷点下の極低温では、電解キャパシタは、電解質の物理的状態の変化が原因でキャパシタンスを急激に消失することがある（電解質の「凍結」）。インバータの調整特性は、このような小さなキャパシタンス値に設定されないので、このような状態でＰＶシステムを動作させることは、ほとんど不可能であるだけでなく、凍結状態で高パルス電流が負荷されると、電解キャパシタを破壊するおそれがあるので、危険でもある。
【００７４】
しかしながら、図５ａの測定方法実行中に中間回路キャパシタンス２１、２２と、出力電流フィルタ６のキャパシタンス６１と、の間に起こる連続的な荷電の反転により、電力損が熱の形態で、中間回路キャパシタ２１、２２に蓄積される。インバータ９のこの動作状態が比較的長い時間にわたって続けば、中間回路キャパシタ２１、２２が、徐々に、しかも制御された方法で加熱されるので、その結果、再び元のキャパシタンス値まで戻る。したがって、図５ａに示される方法を繰り返して、特に、事実上連続的に行えば、キャパシタンス２１、２２の測定されたキャパシタンスの変化をステップＳ６０３で観察することができる。
【００７５】
２つの異なった状況について、図７において、図７ａ、図７ｂの２つに分けて、これが図示されている。グラフはそれぞれ、進行する時間ｔにともなうキャパシタンス値Ｃの時間曲線７２および７３を図示している。中間回路キャパシタンス２１、２２のうちの１つの、測定されたキャパシタンス値Ｃが縦軸に図示され、時間ｔが横軸に図示されている。
【００７６】
図５ａに従って第１の測定が行われた時間ｔ＝０においては、中間回路キャパシタ２１、２２のキャパシタンスＣは、ＰＶシステムを動作させるのに必要な最小キャパシタンスＣｍｉｎを大幅に下回っている。測定されたキャパシタンスＣは、時間ｔの経過とともに増加を続け、必要最小値Ｃｍｉｎを超過し、漸近的に公称キャパシタンス値Ｃｎｅｎｎに近づいていく。図５ａに従ってキャパシタンスを連続的に決定する際に、このような挙動が観察される場合には、「凍結した」中間回路キャパシタンス２１、２２は、測定方法の実行中に、中間回路２の対応するキャパシタの温度が、ＰＶシステムの給電モードをその時実行可能である程度まで上昇していると推論することができる。
【００７７】
図７ｂに図示された例では、時間ｔ＝０で１回目の測定方法の実行中に、同程度に小容量のキャパシタンスＣが、中間回路キャパシタンス２１および２２について測定されている。測定方法を比較的長時間実行した後であっても、このキャパシタンスＣは大きくは変化せず、ＰＶシステムを動作させるのに必要な最小キャパシタンスＣｍｉｎ未満にとどまっている。最大測定時間を規定する既定の期間が終了した後に、図７ｂの場合では、中間回路キャパシタンス２１、２２について低キャパシタンスが観察されたのは、使用されているキャパシタの１つまたは複数に不具合があり得るためであって、凍結が原因ではないと推論することができる。それに応じて、図３のステップＳ８に従って、不具合メッセージが出力されれば、インバータ９の始動プロセスが異常終了されることになる。
【符号の説明】
【００７８】
１  ＰＶ発生器
２  中間回路
３  インバータブリッジ
４  電流測定センサ
５  制御装置
６  出力電流フィルタ
７  ＡＣスイッチング素子
８  エネルギー供給ネットワーク
９  インバータ
１０、１０’電圧源
２１、２２  中間回路キャパシタンス
３１、３２  半導体スイッチ
５１  評価部
６１  第１のキャパシタンス
６２  第２のキャパシタンス
６３  インダクタンス
６４  中性点
７１、７２、７３  キャパシタンス曲線
Ｉａ、Ｉｂ、Ｉｃ  電流
Ｌａ、Ｌｂ、Ｌｃ  相導体
Ｎ  中性線
ＮＰ  ゼロ点（基準電位）
Ｃ  キャパシタンス値
Ｃｎｅｎｎ  公称キャパシタンス
Ｃｍｉｎ  最小キャパシタンス
Ｓ１〜Ｓ１１  方法ステップ
Ｓ６０１〜Ｓ６０３  方法ステップ
Ｓ６０４〜Ｓ６０６  方法ステップ
Ｓ６０７〜Ｓ６１０  方法ステップ
【図１】
0006480928.tif 000006
【図２ａ】
0006480928.tif 000007
【図２ｂ】
0006480928.tif 000008
【図３】
0006480928.tif 000009
【図４】
0006480928.tif 000010
【図５ａ】
0006480928.tif 000011
【図５ｂ】
0006480928.tif 000012
【図５ｃ】
0006480928.tif 000013
【図６ａ】
0006480928.tif 000014
【図６ｂ】
0006480928.tif 000015
【図６ｃ】
0006480928.tif 000016
【図６ｄ】
0006480928.tif 000017
【図７ａ】
0006480928.tif 000018
【図７ｂ】
0006480928.tif 000019